(57)【要約】  本発明は、照明装置とそれ用いたキャビネットに関するもので、光源ユニットの交換が容易に行えるようにすることを目的とするものである。この目的を達成するために、光源ユニット（１１）は、光源として導光体（１０）の入射面（７）に対向配置した発光素子（１２）と、発光素子（１２）を保持するとともに、少なくとも一部が導光体保持ケース（６）に着脱自在に固定された放熱体（１３）と、により構成される。放熱体（１３）は、光源ユニット交換操作部（１５）として、導光体保持ケース（６）の長手方向と、鉛直方向と、に直交する方向に向けて、導光体保持ケース（６）よりも外側に突出させて形成される突出部を備える。
2015068378.tif 000002
【特許請求の範囲】
【請求項１】
長形状で、熱伝導性材料により形成された導光体保持ケースと、
前記導光体保持ケース内に保持される長形状の導光体と、
光源ユニットと、を備え、
前記導光体保持ケースは、長手方向に沿って形成されたスリット状の光出射部と、前記長手方向における端部に光源設置部と、を有し、
前記導光体は、長手方向における端部に入射面を有し、さらに前記長手方向における外周面に出射面および反射面を有し、
前記光源ユニットは、前記導光体保持ケースの前記光源設置部に設置され、
前記光源ユニットは、光源として前記導光体の前記入射面に対向配置した発光素子と、前記発光素子を保持するとともに、少なくとも一部が前記導光体保持ケースに着脱自在に固定された放熱体と、により構成され、
前記放熱体は、光源ユニット交換操作部として、前記導光体保持ケースの前記長手方向と、鉛直方向と、に直交する方向に向けて、前記導光体保持ケースよりも外側に突出させて形成された突出部を備えることを特徴とする照明装置。
【請求項２】
前記光源ユニットの前記放熱体には、前記導光体保持ケースの前記端部の上面に沿って延長される延長部が設けられ、前記放熱体の前記延長部が前記導光体保持ケースに固定具によって固定されることを特徴とする請求項１に記載の照明装置。
【請求項３】
前記固定具としてのネジによって前記放熱体の前記延長部が前記導光体保持ケースに固定されることを特徴とする請求項２に記載の照明装置。
【請求項４】
前記光源ユニットを構成する前記放熱体の少なくとも一部が前記導光体保持ケースの前記端部とは、空間を設けた状態で前記導光体保持ケースの内方に延長され、
前記延長された一部に、前記光源ユニット交換操作部としての前記突出部が設けられていることを特徴とする請求項１から３のいずれか一つに記載の照明装置。
【請求項５】
前記光源ユニットを構成する前記放熱体は、上下に開口部を有する筒形状に形成され、
前記放熱体の下方においては、前記導光体保持ケース側の面に切り欠きが設けられ、
前記導光体保持ケースの前記端部は、前記切り欠きを介して、前記放熱体の内壁と対向するように配置され、
前記光源ユニット交換操作部としての前記突出部は、前記放熱体の、前記切り欠きと対向する端部であることを特徴とする請求項１から３のいずれか一つに記載の照明装置。
【請求項６】
前記導光体保持ケースと、前記放熱体を金属板で構成したことを特徴とする請求項１から５のいずれか一つに記載の照明装置。
【請求項７】
前記導光体保持ケースの前記端部には、上方に向けて開口する凹部が設けられ、
前記光源ユニットには、前記凹部に上方から挿入されて係止する突起が設けられていることを特徴とする請求項１から６のいずれか一つに記載の照明装置。
【請求項８】
前記凹部は、前記光源ユニット側に向けて拡開するように形成されていることを特徴とする請求項７に記載の照明装置。
【請求項９】
請求項１から８のいずれか一つに記載の照明装置と、照明用開口部とを備え、
前記照明装置は、前記導光体の前記出射面が前記照明用開口部を臨むように天井裏側に設けられていることを特徴とする天井板。
【請求項１０】
天井裏に通じる点検口を備えることを特徴とする請求項９に記載の天井板。
【発明の詳細な説明】
【技術分野】
【０００１】
本発明は、一般に照明装置とそれを用いた天井板に関し、より詳しくは長形状で入射面と出射面を有する導光体を備えた照明装置とそれを用いた天井板に関する。
【背景技術】
【０００２】
近年、導光体を用いた照明装置が提案され、脚光を浴びている。すなわち、この種の照明装置は、長形状で入射面と出射面を有する導光体と、この導光体の入射面から光を入射させる発光素子を有する光源ユニットと、を備える。【０００３】
そして、この構成において、発光素子を発光させることで、先ず、その光を導光体の入射面から導光体内に入射させ、次に、この導光体内を進行させ、その後、出射面から導光体外に出射させるようになっていた（例えば、日本国特許出願公開番号２０１３−１２３６９を参照）。【０００４】
上述の通り照明装置は、長形状で入射面と出射面を有する導光体を用いているので、例えば浴室などの天井に当該照明装置を取り付ければ、長形状の導光体により、浴室の全体を照明することができる。【０００５】
そこで、このように照明装置を天井に取り付けるためには、前記導光体を導光体保持ケースに収納させ、また、前記導光体保持ケースの光源設置部に光源ユニットを設置させた構成とすることが考えられる。【０００６】
すなわち、浴室などの天井に、この照明装置を設置する場合、浴室の天井に設けられた点検口から天井裏に上半身を突出させた状態で、前記照明装置を天井に取り付ける作業となる。そのため、この照明装置としては、導光体を導光体保持ケースに収納させ、また、導光体保持ケースの光源設置部に光源ユニットを設置させた、一体構成とすることが重要となる。【０００７】
しかし、このようにして設置した照明装置において、例えば、光源ユニットの寿命に基づき、その交換を行う場合も、上述したように点検口から天井裏に上半身を突出させた状態で行う作業となる。そのため、従来の照明装置には、光源ユニットの交換時における作業性が悪いという問題があった。
【発明の開示】
【０００８】
そこで本発明の目的は、光源ユニットの交換が容易に行える照明装置と、それを用いた天井板を提供することにある。
【０００９】
本発明の照明装置は、長形状で、熱伝導性材料により形成された導光体保持ケースと、前記導光体保持ケース内に保持される長形状の導光体と、光源ユニットと、を備える。前記導光体保持ケースは、長手方向に沿って形成されたスリット状の光出射部と、前記長手方向における端部に光源設置部と、を有する。前記導光体は、長手方向における端部に入射面を有し、さらに前記長手方向における外周面に出射面および反射面を有する。前記光源ユニットは、前記導光体保持ケースの前記光源設置部に設置される。前記光源ユニットは、光源として前記導光体の前記入射面に対向配置した発光素子と、前記発光素子を保持するとともに、少なくとも一部が前記導光体保持ケースに着脱自在に固定された放熱体と、により構成される。前記放熱体は、光源ユニット交換操作部として、前記導光体保持ケースの前記長手方向と、鉛直方向と、に直交する方向に向けて、前記導光体保持ケースよりも外側に突出させて形成された突出部を備える。
【００１０】
本発明の天井板は、上記の照明装置と、照明用開口部とを備える。前記照明装置は、前記導光体の前記出射面が前記照明用開口部を臨むように天井裏側に設けられている。
【００１１】
以上の様に本発明において、前記放熱体は、光源ユニット交換操作部として、前記導光体保持ケースの前記長手方向と、鉛直方向と、に直交する方向に向けて、前記導光体保持ケースよりも外側に突出させて形成された突出部を備える。そのため、発光素子の交換が容易に行えるようになる。
【００１２】
つまり、作業者は、発光素子の交換時には、前記光源ユニット交換操作部を掴んで、前記光源ユニットを、前記発光素子とともに、前記導光体保持ケースから簡単に取り外すことができるので、前記発光素子の交換も容易に行えるようになるのである。
【００１３】
また、前記光源ユニットの前記放熱体は、前記突出部を光源ユニット交換操作部としたので、前記放熱体としての放熱面積も広くなり、その結果、前記発光素子の放熱が適切に行われ、これにより前記発光素子の寿命も長くすることができる。
【図面の簡単な説明】
【００１４】
本発明の好ましい実施形態をさらに詳細に記述する。本発明の他の特徴および利点は、以下の詳細な記述および添付図面に関連して一層良く理解されるものである。
【図１】実施形態１の照明装置を浴室に取り付けた状態を示す斜視図である。
【図２】実施形態１の照明装置と浴室の天井裏部分を示す斜視図である。
【図３】実施形態１の照明装置を示す斜視図である。
【図４】実施形態１の照明装置の要部拡大斜視図である。
【図５】実施形態１の照明装置の要部拡大斜視図である。
【図６】実施形態１の照明装置の要部拡大斜視図である。
【図７】実施形態１の照明装置の要部拡大斜視図である。
【図８】実施形態１の照明装置の要部拡大斜視図である。
【図９】実施形態２の照明装置を示す斜視図である。
【図１０】実施形態２の照明装置の要部拡大斜視図である。
【発明を実施するための形態】
【００１５】
（実施形態１）
以下、添付図面に基づいて実施形態１について説明する。
【００１６】
図１は、一例として天井板１を備える浴室を示し、その天井板１には、照明装置２が取り付けられている。また、この天井板１には、円形に開口されて天井裏に通じる点検口３と、点検口３を塞ぐカバー（図示せず）と、スリット状の照明用開口部３Ａが設けられている。作業者は、照明装置２を設置する際に、上記カバーを取り外して点検口３から上半身を天井裏に突き出し、その状態で、図１に示すように、照明用開口部３Ａ部分に設置する。
【００１７】
照明装置２は、図３〜図８に示すように、全体として長形状に形成され、導光体保持ケース６と、導光体１０と、２つの光源ユニット１１（第１の光源ユニット１１ａおよび第２の光源ユニット１１ｂ）と、を備える。なお、以下の説明においては、照明装置２の長手方向を第１の方向と称する。つまり、図１における奥行き方向が第１の方向に一致する。また、図１における上下方向を第２の方向と称する。第２の方向は、鉛直方向に一致する。そして、図１における左右方向を第３の方向と称する。第３の方向は、照明装置２の幅方向に一致し、第１の方向と第２の方向とに直交する。なお、以下の説明において、「第１の方向における内方」とは、照明装置２の第１の方向における両端側から中心側に向かう方向を意味する。
【００１８】
導光体保持ケース６は、図３に示すように、熱伝導性材料により長形の略角筒状に形成されている。導光体保持ケース６の長手方向は、照明装置２の長手方向、すなわち第１の方向に一致する。
【００１９】
より具体的には、導光体保持ケース６は、その第１の方向における両端面と、第２の方向における一端面（図１の下面）とが開口しており、第１の方向から視たときに略Ｕ字状に形成されている。導光体保持ケース６の下部は、第１の方向（導光体保持ケース６の長手方向）に沿ってスリット状に開口し、光が下方向へ出射する光出射部４として構成される。導光体保持ケース６の第１の方向における両端部は、後述する２つの光源ユニット１１の光源（発光素子１２）がそれぞれ対向して配置される２つの光源設置部５として構成される。
【００２０】
導光体１０は、導光体保持ケース６と略同形で且つ導光体保持ケース６よりも少し寸法が小さい長形の略角筒状に形成された、例えばプリズムである。導光体１０の長手方向は、導光体保持ケース６の長手方向および照明装置２の長手方向、つまり第１の方向に一致する。導光体１０は、導光体保持ケース６内に収納されて保持される。導光体１０は、第１の方向における両端面に入射面７を有し、第２の方向における一端面（図１の下面）に出射面８を有し、当該両端面と当該下面以外の外周面に反射面９を有する。そして、照明装置２は、導光体１０の出射面８が照明用開口部３Ａを臨むように天井裏側に設けられている。
【００２１】
各光源ユニット１１は、図３〜図８に示すように、光源としての１ないし複数の発光素子１２（図６および図８）と、当該発光素子１２を収納する収納部３０と、放熱体１３とを備える。
【００２２】
各光源ユニット１１の発光素子１２は、例えば発光ダイオードであって、図６から理解されるように、導光体１０の対応する入射面７および導光体保持ケース６の対応する光源設置部５に対向配置される。
【００２３】
各収納部３０は、図８に示すように、少なくとも導光体１０の対応する入射面７と対向する一面が開口した細長の矩形箱状に形成されている。各収納部３０は、対応する放熱体１３の後述する第１の片１３ａにおいて、導光体１０と対向する一面の中央部に取り付けられている。各光源ユニット１１の発光素子１２は、対応する収納部３０内に設置され、発光素子１２の光は、当該収納部３０の開口する上記一面から導光体１０に向かって放射される。
【００２４】
各放熱体１３は、例えば１枚の金属板が折り曲げ加工によって照明装置２の幅方向（第３の方向）から視て略Ｌ字状に形成されている。各放熱体１３は、発光素子１２を保持するとともに、少なくとも一部が導光体保持ケース６に着脱自在に固定されるように構成されている。
【００２５】
具体的には、各放熱体１３は、略矩形板状に形成されて偏平な一面が導光体１０の対応する入射面７と対向して配置される第１の片１３ａと、略矩形板状に形成されて第１の片１３ａの上端から第１の方向における内方に延出する第２の片１３ｂと、から構成される。そして、各放熱体１３の少なくとも一部に相当する第２の片１３ｂ（延長された一部）が、図７に示すように、導光体保持ケース６の第１の方向における端部との間に、空間Ｓを設けた状態で導光体保持ケース６の当該端部の上方において内方に延長される。
【００２６】
さらに、第２の片１３ｂは、図８に示すように、第１の方向に平行な平坦部１３０と、平坦部１３０の先端から下方に傾斜するように折り曲げられて形成された傾斜部１３１と、傾斜部１３１の先端から第１の方向と平行になるように折り曲げられて形成される先端部１３２とによって構成される。すなわち、平坦部１３０と先端部１３２との間に高低差が設けられていて、この高低差に起因して空間Ｓが形成されている。先端部１３２は、その先端縁の一部が内方へ突出して形成された突起片１３２ａ（延長部）を備える。突起片１３２ａは、上下方向（第２の方向）に貫通する貫通孔１３２ｂを有する。図６に示すネジ１４（固定具の一例）がこの貫通孔１３２ｂに挿通されて、導光体保持ケース６の当該端部よりも内方の位置に設けられたネジ穴６ａに螺合されることで、各光源ユニット１１がこの導光体保持ケース６に着脱自在に固定される。そして、この状態においては、図３に示すように、この第２の片１３ｂは、導光体保持ケース６の長手方向（第１の方向）と鉛直方向（第２の方向）とに直交する方向（第３の方向）に向けてこの導光体保持ケース６よりも外側に突出されている。つまり、先端部１３２の第３の方向における寸法は、光源ユニット１１が導光体保持ケース６に装着された状態時に、第２の方向から視て導光体保持ケース６よりも第３の方向において外側に突出するように、導光体保持ケース６の幅寸法より大きく設定されている。本実施形態では、この先端部１３２（突出部）を光源ユニット交換操作部１５とする。
【００２７】
このように、導光体保持ケース６と導光体１０と２つの光源ユニット１１が図３のように一体化された照明装置が、図１、図２示すように、天井裏に配置されているのである。
【００２８】
また、図４、図５から理解されるように、天井板１の照明用開口部３Ａの両側には、上方に立ち上げた２つの取付部１６（第１の取付部１６ａと第２の取付部１６ｂ）が設けられている。つまり、２つの取付部１６ａ、１６ｂは、照明用開口部３Ａの左右の両端縁（第３の方向における両端縁）からそれぞれ上方へ矩形板状に突出して形成されている。なお、各取付部１６は、第３の方向から視て、導光体保持ケース６の側面と略同形および同寸法を有している。また、導光体保持ケース６は、鉛直方向（第２の方向）から視て、天井板１の照明用開口部３Ａと略同形で、照明用開口部３Ａよりも少し小さい程度の寸法を有している。
【００２９】
したがって、作業者は、図３のように、導光体保持ケース６、導光体１０、２つの光源ユニット１１が一体化された照明装置２を、点検口３から天井裏へと持ち上げ、次に、作業者も、その上半身を、点検口３から天井裏へと挿入し、その状態で、照明装置２の導光体保持ケース６を照明用開口部３Ａ内へと装着する。
【００３０】
このとき、照明装置２の各光源ユニット交換操作部１５は、第３の方向において照明用開口部３Ａよりも外側まで張り出している。そのため、たとえ照明装置２が照明用開口部３Ａの取付部１６にネジ止め固定されていない状態であっても、２つの光源ユニット交換操作部１５が、照明用開口部３Ａの、第１の方向における両端側近くの周縁部にそれぞれ掛かる。これにより、照明装置２が照明用開口部３Ａから浴室内に落下することはない。
【００３１】
そして、２つの光源ユニット交換操作部１５が、照明用開口部３Ａの上記周縁部に掛かった状態で、図４のように、第２の取付部１６ｂの挿通孔１６０ｂ、導光体保持ケース６の挿通孔６ｂ、第１の取付部１６ａの挿通孔１６０ａの順にねじ１７を挿通する。次に、挿通されたねじ１７の先端をナット１８に締め付けることで天井板１のスリット状の照明用開口部３Ａに、照明装置２が取り付けられる。
【００３２】
ここで、照明装置２は、上述の通り、熱伝導性材料で構成された導光体保持ケース６と、導光体１０と、２つの光源ユニット１１（第１の光源ユニット１１ａおよび第２の光源ユニット１１ｂ）と、を備える。導光体保持ケース６は、長形状で、長手方向（第１の方向）に沿ってスリット状に開口する光出射部４と、両端部にそれぞれ設けられた２つの光源設置部５とを有する。導光体１０は、導光体保持ケース６内に保持される。導光体１０は、第１の方向における両端面に入射面７を有し、第２の方向における一端面（図１の下面）に出射面８を有し、当該両端面と当該下面以外の外周面に反射面９を有する。各光源ユニット１１は、図３〜図８のように、導光体保持ケース６の対応する光源設置部５と対向して設置される。
【００３３】
このため、各光源ユニット１１の発光素子１２から放射された光は、導光体１０の入射面７に入り、次に、導光体１０の長手方向に進行し、その間に反射面９等で光の一部が反射しながら、下方の出射面８から出射する。このようにして、発光素子１２の光は、導光体保持ケース６のスリット状の光出射部４から浴室内へと出射されることになる。なお、光出射部４には、導光体１０の出射面８を覆うように透光性のカバー（図示せず）が設けられていてもよい。
【００３４】
このとき、導光体１０は全体として長形状であり、導光体１０の出射面８も、導光体保持ケース６の光出射部４も長形状であるので、浴室は広く照明されることになる。
【００３５】
また、本実施形態においては、発光素子１２の寿命などで、その交換が必要となったときでも、その交換を容易に行えるようになる。
【００３６】
すなわち、図２〜図５のように、本実施形態の各放熱体１３は、導光体保持ケース６の長手方向（第１の方向）と鉛直方向（第２の方向）とに直交する方向（第３の方向）に向け、この導光体保持ケース６よりも外側に突出させ、この突出部（先端部１３２）を光源ユニット交換操作部１５とした。
【００３７】
このため、発光素子１２の交換時には、導光体保持ケース６よりも外側に突出する光源ユニット交換操作部１５を掴んで光源ユニット１１を、発光素子１２とともに、導光体保持ケース６から簡単に取り外すことができるので、発光素子１２の交換も容易に行える。
【００３８】
そして、このような作業が天井裏でも簡単に行えるように、本実施形態では、光源ユニット交換操作部１５以外にも、次のような構成を採用している。先ず、各放熱体１３の少なくとも一部に相当する第２の片１３ｂ（延長された一部）が、図７に示すように、導光体保持ケース６の第１の方向における端部との間に、空間Ｓを設けた状態で導光体保持ケース６の当該端部の上方において内方に延長されている。そして、図６に示すネジ１４（固定具の一例）が貫通孔１３２ｂに挿入されて、導光体保持ケース６の当該端部よりも内方の位置に設けられたネジ穴６ａに螺合されることで、光源ユニット１１が導光体保持ケース６に着脱自在に固定される。
【００３９】
つまり、ネジ１４を上方に外せば、それにて、光源ユニット１１を上方に取り外し、導光体保持ケース６から分離することが出来るようにしている。
【００４０】
なお、光源ユニット１１の第１の片１３ａの、発光素子１２が設置される側とは反対側の面には、発光素子１２への通電のため、コード（図示せず）が、第１の片１３ａに設けられた貫通孔（図示せず）に貫通した状態で設けられる。ただし、このコードは比較的細いため、作業性を悪化させることは無い。
【００４１】
また、図６、図７に示すように、導光体保持ケース６の第１の方向における両端部の各々には、上方に向けて開口する一対の凹部１９が設けられている。一方、各光源ユニット１１の収納部３０には、この一対の凹部１９に上方からそれぞれ挿入されて係止する一対の突起２０が設けられている。一対の突起２０は、各収納部３０の左右両側面において外側に向かってそれぞれ突出する。
【００４２】
具体的には、導光体保持ケース６は、第１の方向における一端部側において、左右の両側面と面一になるようにそれぞれ突出した一対の突出片６ｃを備えている。同様に、導光体保持ケース６は、第１の方向における他端部側においても、左右の両側面と面一になるようにそれぞれ突出した一対の突出片６ｃを備えている。そして、各突出片６ｃは、照明装置２の幅方向（第３の方向）から視て、略Ｌ字板状に突出されることによって上述した凹部１９が形成されている。
【００４３】
さらに、各凹部１９は、図７に示すように、対応する光源ユニット１１側に向けて拡開するように形成されている。つまり、各突出片６ｃは、凹部１９と向かい合う側に傾斜面６０を有する。傾斜面６０は、上方へ行くほど第１の方向における凹部１９の幅が拡がるように傾斜する。
【００４４】
このため、ネジ１４を外せば、光源ユニット１１を上方に持ち上げるだけで、突起２０は凹部１９から簡単に取り外されることになり、つまり、光源ユニット１１を導光体保持ケース６から簡単に分離することができる。
【００４５】
また、光源ユニット１１を取り外し、発光素子１２を交換した後には、光源ユニット１１を導光体保持ケース６に対して下方に押し込めば、突起２０は凹部１９内に簡単に装着（係止）される。つまり、光源ユニット１１を導光体保持ケース６に簡単に一体化することができる。
【００４６】
また、本実施形態では、各光源ユニット１１の放熱体１３、および導光体保持ケース６は共に金属で形成されている。そのため、発光素子１２の放熱効果が高く、これにより発光素子１２の寿命も長くすることができる。
【００４７】
さらに、光源ユニット１１の放熱体１３で、導光体保持ケース６の長手方向（第１の方向）と鉛直方向（第２の方向）とに直交する外方向（第３の方向）に向けて設けた突出部（先端部１３２）を光源ユニット交換操作部１５としている。そのため、放熱体１３としての放熱面積も広くなり、その結果、発光素子１２の放熱が適切に行われ、これにより発光素子１２の寿命も長くすることができる。さらに、本実施形態では、各放熱体１３の少なくとも一部が空間Ｓを設けた状態で導光体保持ケース６の端部の上方において内方に延長されているため、空間Ｓを介して発光素子１２からの熱を上方に逃がしやすく、放熱効果をさらに高めている。
【００４８】
（実施形態２）
以下、図９および図１０に基づいて、実施形態２について説明する。図９および図１０に図示される本実施形態の照明装置２は、実施形態１における光源ユニット１１の放熱体１３の代わりに放熱体２１を備えており、他の部分は実施形態１の照明装置２と同じ構成要素を有している。したがって、そのような同じ構成要素については、同一の符号を付けて説明を省略する。
【００４９】
本実施形態の各光源ユニット１１を構成する放熱体２１は、上下に開口部を有する角筒形状とし、この角筒形状となった放熱体２１の下方においては、導光体保持ケース側の面に切り欠き２２を設けている。
【００５０】
導光体保持ケース６端部は、切り欠き２２を介して、放熱体２１の内壁と対向するように配置される。そして、放熱体２１の、切り欠き２２と対向する端部（後述の角筒体２１ａの底部）が、導光体保持ケース６の長手方向（第１の方向）と鉛直方向（第２の方向）とに直交する方向（第３の方向）に向けて突出する部分であり、光源ユニット交換操作部２３である。
【００５１】
具体的には、各放熱体２１は、上下に開口部を有する角筒体２１ａと、角筒体２１ａの第１の方向における外側壁から下方に延長して形成された延長片２１ｂと、角筒体２１ａの第１の方向における内側壁の下縁から突出する取付片２１ｃと、を一体的に備える。角筒体２１ａの第３の方向における寸法は、光源ユニット１１が導光体保持ケース６に装着されている状態時に、第２の方向から視て導光体保持ケース６よりも第３の方向において外側に突出するように、導光体保持ケース６の幅寸法より大きく設定されている。取付片２１ｃは、上記下縁の左右方向（第３の方向）における中央から突出し、第１の方向における内方に向かって折り曲げられている。取付片２１ｃは、上下方向（第２の方向）に貫通する貫通孔（図示せず）を有する。
【００５２】
そして、実施形態１で説明した各収納部３０は、本実施形態では対応する放熱体２１の延長片２１ｂに設けられている。導光体保持ケース６の第１の方向における端部（すなわち、光源設置部５）は、切り欠き２２を介して、延長片２１ｂに設けられた収納部３０内の発光素子１２と対向するように配置される。
【００５３】
導光体保持ケース６と、放熱体２１は金属板で構成される。この放熱体２１の取付片２１ｃ（延長部）が、図１０に示すように、導光体保持ケース６の第１の方向における端部の上方において内方に延長されている。そして、図１０に示すネジ１４（固定具の一例）が取付片２１ｃの上記貫通孔に挿入されて、この導光体保持ケース６の上記端部よりも内方の位置に設けられたネジ穴６ａに螺合されることで、光源ユニット１１が導光体保持ケース６に着脱自在に固定される。
【００５４】
本実施形態においても、発光素子１２の寿命などで、その交換が必要となったときでも、その交換を容易に行えるようになる。
【００５５】
すなわち、図９、図１０のように、放熱体２１は、導光体保持ケース６の長手方向（第１の方向）と鉛直方向（第２の方向）とに直交する外方向（第３の方向）に向けて突出する光源ユニット交換操作部２３（角筒体２１ａの底部）を設けた。
【００５６】
このため、発光素子１２の交換時には、第３の方向において導光体保持ケース６よりも外側に突出する光源ユニット交換操作部２３（角筒体２１ａの底部）を掴んで光源ユニット１１を、導光体保持ケース６から簡単に取り外すことができる。したがって、発光素子１２の交換も容易に行えるようになる。
【００５７】
そして、このような作業が天井裏でも簡単に行えるように、本実施形態では、光源ユニット交換操作部２３以外にも、実施形態１と同じように、次のような構成を採用している。
【００５８】
先ず、放熱体２１の取付片２１ｃ（延長部）が、図１０に示すように、導光体保持ケース６の第１の方向における端部の上方において内方に延長されている。そして、図１０に示すネジ１４（固定具の一例）が取付片２１ｃの上記貫通孔に挿入されて、この導光体保持ケース６の上記端部よりも内方の位置に着脱自在に固定される。
【００５９】
つまり、ネジ１４を上方に外せば、それにて、光源ユニット１１を上方に取り外し、導光体保持ケース６から分離することが出来るようにしている。
【００６０】
なお、光源ユニット１１の延長片２１ｂの、発光素子１２が設置される側とは反対側の面には、発光素子１２への通電のため、コード（図示せず）が、延長片２１ｂに設けられた貫通孔（図示せず）に貫通した状態で設けられている。ただし、このコードは比較的細いため、作業性を悪化させることは無い。
【００６１】
また、実施形態１と同様に、導光体保持ケース６の第１の方向における両端部の各々には、上方に向けて開口する一対の凹部１９が設けられている。各光源ユニット１１の収納部３０にも、実施形態１と同様に、この一対の凹部１９に上方からそれぞれ挿入されて係止する一対の突起２０が設けられている。
【００６２】
さらに、実施形態１と同様に、各凹部１９は、光源ユニット１１側に向けて拡開させた形状としている。
【００６３】
このため、ネジ１４を外せば、光源ユニット１１を上方に持ち上げるだけで、突起２０は凹部１９から簡単に取り外されることになり、つまり、光源ユニット１１を導光体保持ケース６から簡単に分離することができる。
【００６４】
また、光源ユニット１１を取り外し、発光素子１２を交換した後には、光源ユニット１１を導光体保持ケース６に対して下方に押し込めば、突起２０は凹部１９内に簡単に装着（係止）される。つまり、光源ユニット１１を導光体保持ケース６に簡単に一体化することができる。
【００６５】
また、本実施形態では、各光源ユニット１１の放熱体２１、および導光体保持ケース６は共に金属で形成されている。そのため、発光素子１２の放熱効果が高く、これにより発光素子１２の寿命も長くすることができる。
【００６６】
さらに、光源ユニット１１の放熱体２１で、導光体保持ケース６の長手方向（第１の方向）と鉛直方向（第２の方向）とに直交する外方向（第３の方向）に向けて設けた突出部（角筒体２１ａの底部）を光源ユニット交換操作部２３としている。そのため、放熱体２１としての放熱面積も広くなり、その結果、発光素子１２の放熱が適切に行われ、これにより発光素子１２の寿命も長くすることができる。さらに、本実施形態では、各放熱体２１が上下に開口部を有する角筒形状に形成されているため、開口部を介して発光素子１２からの熱を上方に逃がしやすく、放熱効果をさらに高めている。
【００６７】
以上の様に本発明の照明装置２は、長形状で、熱伝導性材料により形成された導光体保持ケース６と、導光体保持ケース６内に保持される長形状の導光体１０と、光源ユニット１１と、を備える。導光体保持ケース６は、長手方向に沿って形成されたスリット状の光出射部４と、長手方向における端部に光源設置部５と、を有する。導光体１０は、長手方向における端部に入射面７を有し、さらに長手方向における外周面に出射面８および反射面９を有する。光源ユニット１１は、導光体保持ケース６の光源設置部５に設置される。光源ユニット１１は、光源として導光体１０の入射面７に対向配置した発光素子１２と、発光素子１２を保持するとともに、少なくとも一部が導光体保持ケース６に着脱自在に固定された放熱体１３（または放熱体２１）と、により構成される。放熱体１３（または放熱体２１）は、光源ユニット交換操作部１５（または光源ユニット交換操作部２３）として、導光体保持ケース６の長手方向と、鉛直方向と、に直交する方向に向けて、導光体保持ケース６よりも外側に突出させて形成された突出部を備える。
【００６８】
このため、発光素子１２の交換時には、導光体保持ケース６よりも外側に突出する光源ユニット交換操作部１５（または光源ユニット交換操作部２３）を掴んで光源ユニット１１を、発光素子１２とともに、導光体保持ケース６から簡単に取り外すことができる。そのため、発光素子１２の交換も容易に行えるようになるのである。
【００６９】
また、放熱体１３（または放熱体２１）の突出部を光源ユニット交換操作部１５（または光源ユニット交換操作部２３）としたので、放熱体１３（または放熱体２１）としての放熱面積も広くなる。その結果、発光素子１２の放熱が適切に行われ、これにより発光素子１２の寿命も長くすることができる。
【００７０】
したがって、各所において活用される照明装置として期待されるものとなる。
【００７１】
この照明装置２においては、光源ユニット１１の放熱体１３（または放熱体２１）には、導光体保持ケース６の端部の上面に沿って延長される延長部が設けられることが好ましい。この場合、放熱体１３（または放熱体２１）の延長部が導光体保持ケース６に固定具によって固定されることが好ましい。さらにこの照明装置２においては、固定具としてのネジ１４によって放熱体１３（または放熱体２１）の延長部が導光体保持ケース６に固定されることが好ましい。
【００７２】
この照明装置２においては、光源ユニット１１を構成する放熱体１３の少なくとも一部が導光体保持ケース６の端部とは、空間Ｓを設けた状態で導光体保持ケース６の内方に延長されることが好ましい。この場合、当該延長された一部に、光源ユニット交換操作部１５としての突出部が設けられていることが好ましい。
【００７３】
この照明装置２においては、光源ユニット１１を構成する放熱体２１は、上下に開口部を有する筒形状に形成されることが好ましい。この場合、放熱体２１の下方においては、導光体保持ケース６側の面に切り欠き２２が設けられる。導光体保持ケース６の端部は、切り欠き２２を介して、放熱体２１の内壁と対向するように配置される。光源ユニット交換操作部２３としての突出部は、放熱体２１の、切り欠き２２と対向する端部である。
【００７４】
この照明装置２においては、導光体保持ケース６と、放熱体１３（または放熱体２１）を金属板で構成することが好ましい。
【００７５】
この照明装置２においては、導光体保持ケース６の端部には、上方に向けて開口する凹部１９が設けられていることが好ましい。この場合、光源ユニット１１には、凹部１９に上方から挿入されて係止する突起２０が設けられていることが好ましい。さらにこの照明装置２においては、凹部１９は、光源ユニット１１側に向けて拡開するように形成されていることが好ましい。
【００７６】
また、本発明の天井板１は、上述の照明装置２と、照明用開口部３Ａとを備える。照明装置２は、導光体１０の出射面８が照明用開口部３Ａを臨むように天井裏側に設けられている。
【００７７】
この天井板１においては、天井裏に通じる点検口３を備えることが好ましい。
【００７８】
本発明を幾つかの好ましい実施形態によって記述したが、この発明の本来の精神および範囲、即ち請求の範囲を逸脱することなく、当業者によって様々な修正および変形が可能である。
【図１】
2015068378.tif 000003
【図２】
2015068378.tif 000004
【図３】
2015068378.tif 000005
【図４】
2015068378.tif 000006
【図５】
2015068378.tif 000007
【図６】
2015068378.tif 000008
【図７】
2015068378.tif 000009
【図８】
2015068378.tif 000010
【図９】
2015068378.tif 000011
【図１０】
2015068378.tif 000012
【国際調査報告】
2015068378.tif 000013
2015068378.tif 000014
2015068378.tif 000015